(57)【要約】【課題】安全且つ効率的に確実な短工期の解体方法を提供すること。【解決手段】建物１００を解体する解体方法であって、建物１００の跳ね出し躯体１を軽量化する軽量化ステップと、軽量化ステップにて軽量化された跳ね出し躯体１を所定の方向に引き倒す引倒ステップとを含み、跳ね出し躯体１は、少なくとも、片持ち梁部材１１と、片持ち梁部材１１の先端側に設けられている先端梁部材１２と、片持ち梁部材１１及び先端梁部材１２にて少なくとも一部が囲まれている片持ちスラブ部材１３とを備えており、軽量化するステップでは、少なくとも片持ちスラブ部材１３を解体し、引倒ステップでは、跳ね出し躯体１を、所定の方向である建物１００の屋内側の方向に引き倒し、引倒ステップでは、跳ね出し躯体１が建物１００の屋外側に倒れないように支持した状態で、当該跳ね出し躯体１を引き倒す。【選択図】図１
2020133120.tif 000002
【特許請求の範囲】
【請求項１】
建物を解体する解体方法であって、
前記建物の解体対象躯体を軽量化する軽量化ステップと、
前記軽量化ステップにて軽量化された前記解体対象躯体を所定の方向に引き倒す引倒ステップと、
を含む解体方法。
【請求項２】
前記解体対象躯体は、少なくとも、片持ち梁部材と、前記片持ち梁部材の先端側に設けられている先端梁部材と、前記片持ち梁部材及び前記先端梁部材にて少なくとも一部が囲まれているスラブ部材とを備える跳ね出し躯体であり、
前記軽量化するステップでは、少なくとも前記スラブ部材を解体する、
請求項１に記載の解体方法。
【請求項３】
前記引倒ステップでは、前記解体対象躯体を、前記所定の方向である前記建物の屋内側の方向に引き倒す、
請求項１又は２に記載の解体方法。
【請求項４】
前記引倒ステップでは、前記解体対象躯体が前記建物の屋外側に倒れないように支持した状態で、当該解体対象躯体を引き倒す、
請求項３に記載の解体方法。
【請求項５】
前記解体対象躯体の下方側にガラ受けを設置する設置ステップ、を含み、
前記設置ステップは、前記軽量化ステップよりも前に行われる、
請求項１から４の何れか一項に記載の解体方法。
【請求項６】
前記引倒ステップにて引き倒された前記解体対象躯体を、当該解体対象躯体が引き倒された床上で解体する解体ステップ、を含む、
請求項１から５の何れか一項に記載の解体方法。
【発明の詳細な説明】
【技術分野】
【０００１】
本発明は、解体方法に関する。
【背景技術】
【０００２】
従来、建物の躯体を解体する手法として、躯体を引倒して解体する工法が知られていた（例えば、特許文献１参照）。特に、バルコニー等で用いられる跳ね出し躯体を解体する工法としては、跳ね出し躯体を柱と共に屋内側に引倒して解体する工法が知られていた。
【先行技術文献】
【特許文献】
【０００３】
【特許文献１】特開２０１５−７４９５６号公報
【発明の概要】
【発明が解決しようとする課題】
【０００４】
しかしながら、比較的サイズの大きな跳ね出し躯体を解体する場合、当該跳ね出し躯体が意図していない方向（例えば、屋外側）に荷重バランス（自重重心）で倒れてしまう可能性があるが、このような跳ね出し躯体を安全に、短工期で解体する工法が確立されていない現状があった。
【０００５】
本発明は上記事実に鑑みなされたもので、安全且つ効率的に確実な短工期の解体方法を提供する事を目的とする。
【課題を解決するための手段】
【０００６】
上述した課題を解決し、目的を達成するために、請求項１に記載の解体方法は、建物を解体する解体方法であって、前記建物の解体対象躯体を軽量化する軽量化ステップと、前記軽量化ステップにて軽量化された前記解体対象躯体を所定の方向に引き倒す引倒ステップと、を含む。
【０００７】
請求項２に記載の解体方法は、請求項１に記載の解体方法において、前記解体対象躯体は、少なくとも、片持ち梁部材と、前記片持ち梁部材の先端側に設けられている先端梁部材と、前記片持ち梁部材及び前記先端梁部材にて少なくとも一部が囲まれているスラブ部材とを備える跳ね出し躯体であり、前記軽量化するステップでは、少なくとも前記スラブ部材を解体する。
【０００８】
請求項３に記載の解体方法は、請求項１又は２に記載の解体方法において、前記引倒ステップでは、前記解体対象躯体を、前記所定の方向である前記建物の屋内側の方向に引き倒す。
【０００９】
請求項４に記載の解体方法は、請求項３に記載の解体方法において、前記引倒ステップでは、前記解体対象躯体が前記建物の屋外側に倒れないように支持した状態で、当該解体対象躯体を引き倒す。
【００１０】
請求項５に記載の解体方法は、請求項１から４の何れか一項に記載の解体方法において、前記解体対象躯体の下方側にガラ受けを設置する設置ステップ、を含み、前記設置ステップは、前記軽量化ステップよりも前に行われる。
【００１１】
請求項６に記載の解体方法は、請求項１から５の何れか一項に記載の解体方法において、前記引倒ステップにて引き倒された前記解体対象躯体を、当該解体対象躯体が引き倒された床上で解体する解体ステップ、を含む。
【発明の効果】
【００１２】
請求項１に記載の解体方法によれば、軽量化ステップにて軽量化された解体対象躯体を所定の方向に引き倒すことによれば、例えば、解体対象躯体の荷重バランスを考慮して軽量化することができるので、安全且つ効率的に確実な短工期解体が可能となる。
【００１３】
請求項２に記載の解体方法によれば、解体対象躯体は、少なくとも、片持ち梁部材と、先端梁部材と、スラブ部材とを備える跳ね出し躯体であり、軽量化するステップでは、少なくともスラブ部材を解体することによれば、例えば、スラブ部材を下向き作業で先行解体することで、スラブ部材を傾斜させずに解体でき、すなわち、傾斜していない水平な位置でスラブ部材の解体作業を行うことができるので、安全性及び作業効率を向上させることが可能となる。
【００１４】
請求項３に記載の解体方法によれば、解体対象躯体を屋内側に引き倒すことによれば、例えば、解体対象躯体の少なくとも一部が屋外側の近隣の敷地に落下等することを防止することができるので、安全性を向上させることが可能となる。
【００１５】
請求項４に記載の解体方法によれば、解体対象躯体が建物の屋外側に倒れないように支持した状態で、当該解体対象躯体を引き倒すことによれば、例えば、解体対象躯体の少なくとも一部が屋外側の近隣の敷地に落下等することを確実に防止することができるので、安全性を向上させることが可能となる。また、例えば、解体対象躯体を意図した方向に確実に引き倒すことが可能となる。
【００１６】
請求項５に記載の解体方法によれば、ガラ受けを設置することによれば、例えば、解体対象躯体を軽量化する場合に発生するガラ（例えば、砕かれたコンクリート片等）が近隣の敷地に落下等することを防止することが可能となる。また、当該ガラを効率的に搬出することが可能となる。
【００１７】
請求項６に記載の解体方法によれば、引き倒された解体対象躯体を、当該解体対象躯体が引き倒された床上で解体することによれば、例えば、引き倒された解体対象躯体を細かくした状態で搬出することができるので、大掛かりな重機等が不要となり、低コスト化を図ることが可能となる。また、例えば、比較的作業を行い易い床上で解体作業を行うことができるので、作業効率を向上させることが可能となる。
【図面の簡単な説明】
【００１８】
【図１】本実施の形態に係る解体方法が適用される建物を示す図である。
【図２】ガラ受け及び支持部材が設置された状態の建物を示す図である。
【図３】軽量化されている状態の建物を示す図である。
【図４】先端梁部材が皮剥きされている状態の建物を示す図である。
【図５】柱部材が切断されている状態の建物を示す図である。
【図６】跳ね出し躯体が引き倒されている状態の建物を示す図である。
【発明を実施するための形態】
【００１９】
以下に添付図面を参照して、この発明に係る解体方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、解体方法に関する。
【００２１】
ここで、「解体方法」とは、建物を解体する方法であり、例えば、軽量化ステップ、及び引倒ステップを含み、任意で、設置ステップ、及び解体ステップ等を含む方法である。
【００２２】
「軽量化ステップ」とは、建物の解体対象躯体を軽量化するステップであり、例えば、後述する跳ね出し躯体の少なくともスラブ部材を解体するステップ等を含む概念である。
【００２３】
「解体対象躯体」とは、建物における少なくとも一部の躯体であり、例えば、跳ね出し躯体、及び跳ね出し躯体以外の任意の躯体等を含む概念である。「跳ね出し躯体」とは、建物の屋内側から屋外側に向かって突出して設けられる躯体であり、例えば、片持ち梁部材と、片持ち梁部材の先端側に設けられている先端梁部材と、片持ち梁部材及び先端梁部材にて少なくとも一部が囲まれているスラブ部材とを備える躯体等を含む概念である。
【００２４】
「引倒ステップ」とは、軽量化ステップにて軽量化された解体対象躯体を所定の方向に引き倒すステップであり、例えば、解体対象躯体を、所定の方向である建物の屋内側の方向に引き倒すステップ等を含む概念であり、また、解体対象躯体が建物の屋外側に倒れないように支持した状態で、当該解体対象躯体を引き倒すステップ等を含む概念である。
【００２５】
「所定の方向」とは、予め定められた方向であり、例えば、解体対象躯体を引き倒す場合の安全性をより確実に確保することが可能な方向であり、一例としては、建物の屋内側の方向等を含む概念である。
【００２６】
「設置ステップ」とは、解体対象躯体の下方側にガラ受けを設置するステップであり、具体的には、軽量化ステップよりも前に行われるステップ等を含む概念である。「ガラ受け」とは、建物を解体する場合に発生するガラ（例えば、砕かれたコンクリート片等）を受け止める物等を含む概念である。
【００２７】
「解体ステップ」とは、引倒ステップにて引き倒された解体対象躯体を、当該解体対象躯体が引き倒された床上で解体するステップ等を含む概念である。
【００２８】
そして、以下に示す実施の形態では、地上６階建ての建物を解体する場合を例示して説明する。
【００２９】
〔ＩＩ〕実施の形態の具体的内容
次に、実施の形態の具体的内容について説明する。
【００３０】
（構成）
まず、本実施の形態に係る解体方法が適用される建物について説明する。図１は、本実施の形態に係る解体方法が適用される建物を示す図であり、（ａ）は平面図であり、（ｂ）は側断面図である。
【００３１】
なお、図１の（ｂ）においては、ハッチングは省略されている（以下の各側断面図でも同様）。また、図１に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称し、＋Ｘ方向が建物１００の屋内側であり、−Ｘ方向が建物１００の屋外側であることとし説明する。
【００３２】
（構成‐建物）
図１の建物１００は、解体の対象となる建物である。この建物１００の具体的な種類や構成は任意であるが、例えば、６階建ての建物であり、一例としては、柱部材２１、両端固定梁部材２２、四辺固定スラブ部材２３、及び跳ね出し躯体１を備える。
【００３３】
（構成‐建物‐柱部材、両端固定梁部材、四辺固定スラブ部材）
柱部材２１は、建物１００を支持するも部材であり、例えば、高さ方向（Ｚ軸方向）において立設しているものであり、また、鉄筋コンクリート（ＲＣ：Ｒｅｉｎｆｏｒｃｅｄ  Ｃｏｎｃｒｅｔｅ）製のものである。両端固定梁部材２２は、四辺固定スラブ部材２３を支持する部材であり、例えば、両端が柱部材２１にて支持されているものであり、また、鉄骨鉄筋コンクリート（ＳＲＣ：Ｓｔｅｅｌ  Ｒｅｉｎｆｏｒｃｅｄ  Ｃｏｎｃｒｅｔｅ）製のものである。四辺固定スラブ部材２３は、床又は天井（つまり、スラブ）を形成する部材であり、例えば、両端固定梁部材２２にて支持されているものであり、また、鉄筋コンクリート製のものである。
【００３４】
（構成‐建物‐跳ね出し躯体）
跳ね出し躯体１は、解体対象躯体であり、例えば、建物１００の屋内側（＋Ｘ方向）から屋外側（−Ｘ方向）に向かって突出して設けられている躯体であり、また、建物１００の各階に設けられているものであり、また、片持ち梁部材１１、先端梁部材１２、及び片持ちスラブ部材１３を備えるものである。
【００３５】
（構成‐建物‐跳ね出し躯体‐片持ち梁部材）
片持ち梁部材１１は、一端のみが支持されている片持ち梁を形成する部材である。この片持ち梁部材１１の具体的な種類や構成は任意であるが、例えば、屋内側（＋Ｘ方向）の端部が柱部材２１に固定されて支持されているものであり、また、鉄骨鉄筋コンクリート製のものである。
【００３６】
（構成‐建物‐跳ね出し躯体‐先端梁部材）
先端梁部材１２は、梁を形成する部材である。この先端梁部材１２の具体的な種類や構成は任意であるが、例えば、片持ち梁部材１１の先端側（−Ｘ方向）に固定されて設けられているものであり、また、鉄骨鉄筋コンクリート製のものである。なお、この先端梁部材１２は、鉄骨鉄筋コンクリート製のもの以外にも、鉄骨（Ｓ：Ｓｔｅｅｌ）製のものを用いてもよいが、ここでは、例えば、鉄骨鉄筋コンクリート製のものを用いることとして説明する。
【００３７】
（構成‐建物‐跳ね出し躯体‐片持ちスラブ部材）
片持ちスラブ部材１３は、スラブ部材であり、床又は天井（つまり、スラブ）を形成する部材である。この片持ちスラブ部材１３の具体的な種類や構成は任意であるが、例えば、片持ち梁部材１１及び先端梁部材１２にて囲まれているものであり、また、鉄筋コンクリート製のものである。
【００３８】
（解体方法）
次に、このように構成される建物１００に適用される解体方法について説明する。図２は、ガラ受け及び支持部材が設置された状態の建物を示す図であり、図３は、軽量化されている状態の建物を示す図であり、図４は、先端梁部材が皮剥きされている状態の建物を示す図であり、図５は、柱部材が切断されている状態の建物を示す図であり、図６は、跳ね出し躯体が引き倒されている状態の建物を示す図である。また、これらの図２〜図６の（ａ）は、平面図であり、（ｂ）は、側断面図である。なお、図６においては、図５の重機５１〜５４は、説明の便宜上、図示が省略されている。
【００３９】
「解体方法」とは、概略的には、建物１００を解体する方法（工法）であり、具体的には、図１の跳ね出し躯体１を引き倒して解体する方法であり、順次行われる設置ステップ、軽量化ステップ、引倒ステップを、及び解体ステップを含む方法である。なお、建物１００における跳ね出し躯体１以外の部分の解体は、従来と同様にして行うことができるので、この従来と同様にして行える解体の説明については適宜省略する。
【００４０】
また、ここでは、例えば、図２に示すように、外周養生足場３１が建物１００の周囲に設けられ、また、着脱可能なサポートの如き支持部材３２が各フロアに設けられた状態の建物１００において、屋上の跳ね出し躯体１を引き倒して解体する場合を主に例示して説明する。
【００４１】
（解体方法‐設置ステップ）
まず、設置ステップを行う。具体的な内容は任意であるが、例えば、図２に示すように、ガラ受け３３を屋上の跳ね出し躯体１の下側（下方側、−Ｚ方向）に設置する。詳細には、例えば、単管及びベニヤ板等を用いて全体として平板形状のガラ受け３３を作成し、作成したガラ受け３３を高さ方向において上側（＋Ｚ方向）から下側（−Ｚ方向）に向かうにつれて、屋外側（−Ｘ方向）から屋内側（＋Ｘ方向）に向かうように傾斜させて設ける。
【００４２】
（解体方法‐軽量化ステップ）
次に、軽量化ステップを行う。具体的な内容は任意であるが、例えば、まず、図３に示すように、作業員が、片持ちスラブ部材１３の一部（例えば、先端梁部材１２の周辺等）を、工具を用いて手作業にて斫ることにより解体し、次に、不図示であるが、片持ちスラブ部材１３の残りの一部を、重機を用いて斫ることにより解体して、跳ね出し躯体１を軽量化する。なお、ここでは、作業員による手作業、及び重機を用いる作業にて、軽量化する場合を例示したが、何れか一方のみで作業を行って軽量化してもよい。
【００４３】
そして、この軽量化ステップでは、片持ちスラブ部材１３を斫って解体することにより、ガラ材が発生するが、このガラ材はガラ受け３３にて受け止められて、建物１００の屋外側（−Ｘ方向）への落下を防止することが可能となり、また、６階の床の一部の領域に山積され、搬出を容易に行うことが可能となる。
【００４４】
次に、ガラ受け３３を撤去した上で、下がり壁部材４２、立ち上がり部材４１、及びカーテンウォールの枠を形成する枠部材４３が設けられている場合、これらを解体して撤去し、従来と同様にして、建物１００における屋上の四辺固定スラブ部材２３を解体し、６階に設置されている支持部材３２を撤去する。
【００４５】
（解体方法‐引倒ステップ）
次に、引倒ステップを行う。具体的な内容は任意であるが、例えば、１本の柱部材２１単位で跳ね出し躯体１を引き倒す場合について説明する。
【００４６】
詳細には、まず、跳ね出し躯体１を含む引き倒される部材の重心が屋内側（＋Ｘ方向）となるように、図５（ａ）の先端梁側切断部７１、先端梁側切断部７２、両端固定梁側切断部７３、両端固定梁側切断部７４、両端固定梁側切断部７５を決定し、決定した各切断部について、図４に示すように重機５を用いて、鉄骨鉄筋コンクリートの鉄筋コンクリート部分を皮剥きして鉄骨部分を露出させる。なお、ここでの各切断部は、各部材における切断する位置を示している。
【００４７】
次に、図５に示すように、例えば、２本の転倒防止ワイヤ６３、６４を用いて、跳ね出し躯体１を含む引き倒される部材が屋外側（−Ｘ方向）に倒れないように支持する。「転倒防止ワイヤ」６３、６４とは、解体対象躯体である少なくとも跳ね出し躯体１が建物１００の屋外側（−Ｘ方向）に倒れないように支持する支持手段であり、例えば、一端が跳ね出し躯体１と共に引き倒される両端固定梁部材２２に固定され、また、他端が重機５３、５４に固定されているものである。
【００４８】
次に、前述の決定した図５（ａ）の先端梁側切断部７１、先端梁側切断部７２、両端固定梁側切断部７３、両端固定梁側切断部７４、両端固定梁側切断部７５の露出している鉄骨部分を任意の手法（例えば、ガス切断）で切断する。次に、図５（ａ）に示すように、跳ね出し躯体１を含む引き倒される部材を、重機５２にて挟持して支持した状態で、図５（ｂ）に示すように、重機５１にて建物１００の６階部分の柱部材２１の下側（−Ｚ方向）寄りの位置である柱側切断部７６を切断する。
【００４９】
次に、跳ね出し躯体１を含む引き倒される部材を、重機５２にて挟持して支持しつつ、図６に示すように、屋内側（＋Ｘ方向）に引き倒す。
【００５０】
（解体方法‐解体ステップ）
次に、解体ステップを行う。具体的な内容は任意であるが、例えば、引倒ステップで図６の建物１００における６階の四辺固定スラブ部材２３上に引き倒された部材（つまり、跳ね出し躯体１の片持ち梁部材１１及び先端梁部材１２、柱部材２１、及び両端固定梁部材２２）を、当該四辺固定スラブ部材２３上（床上）で細かく解体して撤去する。そして、これらの各ステップを建物１００の各階の跳ね出し躯体１に対して行い、また、説明を省略した建物１００における跳ね出し躯体１以外の部分の解体を行うことにより、建物１００が解体される。これにて、解体方法の説明を終了する。
【００５１】
（本実施の形態の効果）
本実施の形態によれば、軽量化ステップにて軽量化された跳ね出し躯体１を所定の方向に引き倒すことによれば、例えば、跳ね出し躯体１の荷重バランスを考慮して軽量化することができるので、安全且つ効率的に確実な短工期解体が可能となる。
【００５２】
また、跳ね出し躯体１は、少なくとも、片持ち梁部材１１と、先端梁部材１２と、片持ちスラブ部材１３とを備えており、軽量化するステップでは、少なくとも片持ちスラブ部材１３を解体することによれば、例えば、片持ちスラブ部材１３を下向き作業で先行解体することで、片持ちスラブ部材１３を傾斜させずに解体でき、すなわち、傾斜していない水平な位置で片持ちスラブ部材１３の解体作業を行うことができるので、安全性及び作業効率を向上させることが可能となる。
【００５３】
また、跳ね出し躯体１を屋内側に引き倒すことによれば、例えば、跳ね出し躯体１の少なくとも一部が屋外側の近隣の敷地に落下等することを防止することができるので、安全性を向上させることが可能となる。
【００５４】
また、跳ね出し躯体１が建物１００の屋外側に倒れないように支持した状態で、当該跳ね出し躯体１を引き倒すことによれば、例えば、跳ね出し躯体１の少なくとも一部が屋外側の近隣の敷地に落下等することを確実に防止することができるので、安全性を向上させることが可能となる。また、例えば、跳ね出し躯体１を意図した方向に確実に引き倒すことが可能となる。
【００５５】
また、ガラ受け３３を設置することによれば、例えば、跳ね出し躯体１を軽量化する場合に発生するガラ（例えば、砕かれたコンクリート片等）が近隣の敷地に落下等することを防止することが可能となる。また、当該ガラを効率的に搬出することが可能となる。
【００５６】
また、引き倒された跳ね出し躯体１を、当該跳ね出し躯体１が引き倒された床上で解体することによれば、例えば、引き倒された跳ね出し躯体１を細かくした状態で搬出することができるので、大掛かりな重機等が不要となり、低コスト化を図ることが可能となる。また、例えば、比較的作業を行い易い床上で解体作業を行うことができるので、作業効率を向上させることが可能となる。
【００５７】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００５９】
（分散や統合について）
また、上述した各電気的構成要素は機能概念的なものであり、必ずしも物理的に図示の如く構成されていることを要しない。
【００６０】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６１】
（軽量化及び引き倒しについて）
また、上記実施の形態においては、図３において、片持ちスラブ部材１３を解体して軽量する場合を例示して説明したが、例えば、片持ちスラブ部材１３の全部を解体して軽量化してもよく、あるいは、片持ちスラブ部材１３の一部のみを解体して軽量化してもよい。
【００６２】
また、例えば、片持ちスラブ部材１３と共に、あるいは、片持ちスラブ部材１３の代わりに、別の部材を解体して軽量化してもよい。具体的には、図５（ｂ）において、柱側切断部７６を切断する前に、図５（ａ）の先端梁部材１２を切断して撤去することにより軽量化した上で、跳ね出し躯体１の片持ち梁部材１１、柱部材２１、及び両端固定梁部材２２を引き倒してもよい。また、例えば、柱側切断部７６を切断する前に、両端固定梁部材２２を切断して撤去した上で、引き倒してもよい。
【００６３】
また、例えば、各梁部材の切断部の位置を任意に変更して、一度に引き倒す部材を任意に変更してもよい。例えば、図５（ａ）において、各切断部の位置を任意に変更して、柱部材２個分の部材を一度に引き倒してもよい。
【００６４】
（付記）
付記１の解体方法は、建物を解体する解体方法であって、前記建物の解体対象躯体を軽量化する軽量化ステップと、前記軽量化ステップにて軽量化された前記解体対象躯体を所定の方向に引き倒す引倒ステップと、を含む。
【００６５】
付記２の解体方法は、付記１に記載の解体方法において、前記解体対象躯体は、少なくとも、片持ち梁部材と、前記片持ち梁部材の先端側に設けられている先端梁部材と、前記片持ち梁部材及び前記先端梁部材にて少なくとも一部が囲まれているスラブ部材とを備える跳ね出し躯体であり、前記軽量化するステップでは、少なくとも前記スラブ部材を解体する。
【００６６】
付記３の解体方法は、付記１又は２に記載の解体方法において、前記引倒ステップでは、前記解体対象躯体を、前記所定の方向である前記建物の屋内側の方向に引き倒す。
【００６７】
付記４の解体方法は、付記３に記載の解体方法において、前記引倒ステップでは、前記解体対象躯体が前記建物の屋外側に倒れないように支持した状態で、当該解体対象躯体を引き倒す。
【００６８】
付記５の解体方法は、付記１から４の何れか一項に記載の解体方法において、前記解体対象躯体の下方側にガラ受けを設置する設置ステップ、を含み、前記設置ステップは、前記軽量化ステップよりも前に行われる。
【００６９】
付記６の解体方法は、付記１から５の何れか一項に記載の解体方法において、前記引倒ステップにて引き倒された前記解体対象躯体を、当該解体対象躯体が引き倒された床上で解体する解体ステップ、を含む。
【００７０】
（付記の効果）
付記１に記載の解体方法によれば、軽量化ステップにて軽量化された解体対象躯体を所定の方向に引き倒すことによれば、例えば、解体対象躯体の荷重バランスを考慮して軽量化することができるので、安全且つ効率的に確実な短工期解体が可能となる。
【００７１】
付記２に記載の解体方法によれば、解体対象躯体は、少なくとも、片持ち梁部材と、先端梁部材と、スラブ部材とを備える跳ね出し躯体であり、軽量化するステップでは、少なくともスラブ部材を解体することによれば、例えば、スラブ部材を下向き作業で先行解体することで、スラブ部材を傾斜させずに解体でき、すなわち、傾斜していない水平な位置でスラブ部材の解体作業を行うことができるので、安全性及び作業効率を向上させることが可能となる。
【００７２】
付記３に記載の解体方法によれば、解体対象躯体を屋内側に引き倒すことによれば、例えば、解体対象躯体の少なくとも一部が屋外側の近隣の敷地に落下等することを防止することができるので、安全性を向上させることが可能となる。
【００７３】
付記４に記載の解体方法によれば、解体対象躯体が建物の屋外側に倒れないように支持した状態で、当該解体対象躯体を引き倒すことによれば、例えば、解体対象躯体の少なくとも一部が屋外側の近隣の敷地に落下等することを確実に防止することができるので、安全性を向上させることが可能となる。また、例えば、解体対象躯体を意図した方向に確実に引き倒すことが可能となる。
【００７４】
付記５に記載の解体方法によれば、ガラ受けを設置することによれば、例えば、解体対象躯体を軽量化する場合に発生するガラ（例えば、砕かれたコンクリート片等）が近隣の敷地に落下等することを防止することが可能となる。また、当該ガラを効率的に搬出することが可能となる。
【００７５】
付記６に記載の解体方法によれば、引き倒された解体対象躯体を、当該解体対象躯体が引き倒された床上で解体することによれば、例えば、引き倒された解体対象躯体を細かくした状態で搬出することができるので、大掛かりな重機等が不要となり、低コスト化を図ることが可能となる。また、例えば、比較的作業を行い易い床上で解体作業を行うことができるので、作業効率を向上させることが可能となる。
【符号の説明】
【００７６】
１  跳ね出し躯体
５  重機
１１  片持ち梁部材
１２  先端梁部材
１３  片持ちスラブ部材
２１  柱部材
２２  両端固定梁部材
２３  四辺固定スラブ部材
３１  外周養生足場
３２  支持部材
３３  ガラ受け
４１  立ち上がり部材
４２  下がり壁部材
４３  枠部材
５１  重機
５２  重機
５３  重機
５４  重機
６３  転倒防止ワイヤ
６４  転倒防止ワイヤ
７１  先端梁側切断部
７２  先端梁側切断部
７３  両端固定梁側切断部
７４  両端固定梁側切断部
７５  両端固定梁側切断部
７６  柱側切断部
１００  建物
【図１】
2020133120.tif 000003
【図２】
2020133120.tif 000004
【図３】
2020133120.tif 000005
【図４】
2020133120.tif 000006
【図５】
2020133120.tif 000007
【図６】
2020133120.tif 000008